(57)【要約】【課題】管底部に堆積した夾雑物を、簡単な作業で確実に排出できる手段を提供する。【解決手段】閉塞具１と捕集具２とを可撓性の線材３を介して巻取装置４に順次繋ぎ、閉塞具１及び捕集具２を管路に挿入すると、閉塞具１が管路断面を隙間が残るように部分的に閉塞し、捕集具２が閉塞具１より下流側に位置して、その開口面が上流側へ向き、閉塞具１により管底部の流速が増大し、夾雑物が捕集具２の方向へ巻き上げられ、管外に設置した巻取装置４で線材３を巻き取ると、閉塞具１及び捕集具２が管路を上流側へ移動して外部に引き出され、捕集具２に捕捉された夾雑物が除去されるようにする。【選択図】図３
2005270765.tif 000002
【特許請求の範囲】
【請求項１】
閉塞具と捕集具とを可撓性の線材を介して巻取装置に順次繋ぎ、閉塞具及び捕集具を管路に挿入すると、閉塞具が管路断面を隙間が残るように部分的に閉塞し、捕集具が閉塞具より下流側に位置して、その開口面が上流側へ向き、管外に設置した巻取装置で線材を巻き取ると、閉塞具及び捕集具が管路を上流側へ移動して外部に引き出されるようにした管内夾雑物の捕集装置。
【請求項２】
前記閉塞具及び捕集具を拡縮可能とし、縮閉状態で管路に挿入され、管内で拡開するようにしたことを特徴とする請求項１に記載の管内夾雑物の捕集装置。
【請求項３】
前記閉塞具として、弾性を有するフレームに、管路を閉塞するシート材を張設したものを使用したことを特徴とする請求項１又は２に記載の管内夾雑物の捕集装置。
【請求項４】
前記捕集具として、弾性を有するフレームに、柔軟な網体を張設したものを使用したことを特徴とする請求項１乃至３のいずれかに記載の管内夾雑物の捕集装置。
【発明の詳細な説明】
【技術分野】
【０００１】
この発明は、水道管等の管路に混入した土砂や錆等の夾雑物を捕集する装置に関するものである。
【背景技術】
【０００２】
例えば、地中に埋設された水道管には、補修工事等に伴って土砂などの夾雑物が混入することがある。この夾雑物を排出するため、一般には、図５に示すように、水道管の本管５１から立ち上がる枝管５２に接続された消火栓５３を開いて、水道水と共に夾雑物を押し出す方法が採用されている。
【０００３】
この方法によると、本管５１の内部を浮遊して流れる比重の小さい夾雑物５４は、消火栓５３から比較的容易に排出することができるが、流速が得られにくい大口径の管路などでは、砂礫などの比重の大きな夾雑物５５が本管５１の底部に堆積して、消火栓５３から排出されない場合がある。
【０００４】
このため、本出願人は、下記特許文献１において、図６に示すように、傘状のフレーム５７に袋体５８を取り付けた拡縮可能な排出具５６を提案している。この排出具５６は、縮閉した状態で枝管から本管５１へ挿入すると、本管５１内で拡開して、管路の内周面と袋体５８との間に隙間が生じるようになっており、その隙間で流速を増大させ、比重の大きな夾雑物５５を下流側へ移送しようとするものである。
【特許文献１】特開２００３−１２１０号公報
【発明の開示】
【発明が解決しようとする課題】
【０００５】
ところで、上記のような排出具を使用すると、比重の大きな夾雑物を枝管の分岐部付近まで移送することはできるが、その夾雑物を本管から除去するためには、枝管に接続された消火栓を開いて水流と共に押し出さなければならず、枝管の分岐口が管頂部にある一般のフランジ付きＴ字管では、夾雑物の排出効果が十分に得られない場合もあった。
【０００６】
その対策として、管底部から枝管が分岐するうず巻式フランジ付きＴ字管やストレーナを設置しようとすると、大規模な工事が必要となるため、状況によっては、通常のフランジ付きＴ字管の枝管から筒状の器具を挿入して、夾雑物を排出することも考えられているが、そのような器具の設置や操作には手間がかかるという問題もあった。
【０００７】
そこで、この発明は、管底部に堆積した夾雑物を、簡単な作業で確実に排出できる手段を提供しようとするものである。
【課題を解決するための手段】
【０００８】
上記課題を解決するため、この発明は、閉塞具と捕集具とを可撓性の線材を介して巻取装置に順次繋ぎ、閉塞具及び捕集具を管路に挿入すると、閉塞具が管路断面を隙間が残るように部分的に閉塞し、捕集具が閉塞具より下流側に位置して、その開口面が上流側へ向き、管外に設置した巻取装置で線材を巻き取ると、閉塞具及び捕集具が管路を上流側へ移動して外部に引き出される管内夾雑物の捕集装置を提供することとしたのである。
【０００９】
このような捕集装置では、管路に挿入した閉塞具により管内の流速が隙間の部分で増大し、夾雑物が捕集具の方向へ巻き上げられ、巻取装置による線材の巻き取りに伴い、捕集具に捕捉された夾雑物が管路の外部に除去される。
【００１０】
なお、前記閉塞具及び捕集具を拡縮可能とし、縮閉状態で管路に挿入され、管内で拡開するようにすると、閉塞具及び捕集具を細い枝管からでも本管に挿入できる。
【００１１】
この場合、前記閉塞具としては、弾性を有するフレームに、管路を閉塞するシート材を張設したものを使用するとよい。
【００１２】
また、前記捕集具としては、弾性を有するフレームに、柔軟な網体を張設したものを使用するとよい。
【発明の効果】
【００１３】
上記のような管内夾雑物の捕集具では、既設の枝管を介して閉塞具及び捕集具を管路に挿入できるので、路面の開削工事等は必要なく、夾雑物を閉塞具による流速の増大に伴い巻き上げて捕集具で捕捉するので、挿入式の排出用器具等を設置しなくても、比重の大きな夾雑物を捕捉でき、巻取装置による線材の巻き取りに伴い、捕集具に捕捉された夾雑物を除去するので、清掃作業に伴い多量に排水する必要もない。
【発明を実施するための最良の形態】
【００１４】
以下、この発明の実施形態を図１乃至図４に基づいて説明する。
【００１５】
この管内夾雑物の捕集装置は、図１に示すように、閉塞具１と捕集具２とを可撓性の線材３を介して巻取装置４に順次繋いだ構成とされている。
【００１６】
閉塞具１は、弾性を有する弓状の骨部材を組み合わせて、楕円球状のフレーム５を形成し、このフレーム５の片側部分に、通水を遮断する柔軟なシート材６を張設したものとされている。フレーム５の骨部材には、Ｎｉ−Ｔｉ合金やステンレスの帯鋼等が使用され、シート材６には、セールクロス等のポリエステル生地やナイロン生地等が使用される。
【００１７】
なお、閉塞具１を本管へ挿入する枝管等に寸法的な余裕があれば、管路の閉塞性能を安定させるため、閉塞具１は、本管内の水流方向に胴部が長く延びるチューブ状の閉じた構造とし、その内部に別途流体をホース等で送り込んで拡縮させるようにしてもよい。
【００１８】
また、捕集具２は、閉塞具１のフレーム５と同様のフレーム７の片側部分に、流路の通水性を確保する柔軟な網体８を張設したものとされている。網体８には、ナイロンやポリエチレンのプランクトンネット等が使用され、網目の大きさは、捕集する夾雑物の粒径によって適宜選択される。なお、網体８には、一度捕集した夾雑物が流出しないように、逆止弁状の構造を設けてもよい。
【００１９】
そのほか、線材３には、巻取装置４による巻取負荷に耐え得る強度を備えたステンレスワイヤーやポリエチレンライン等が使用され、巻取装置４には、夾雑物を捕捉した捕集具２を閉塞具１と共に巻き上げられる出力を備えた電動ウインチや、動力のない手動ウインチが使用される。
【００２０】
上記のような捕集装置を使用して水道管を清掃する際には、図２に示すように、閉塞具１及び捕集具２を縮閉させた状態で、枝管５２を介して本管５１に挿入する。閉塞具１及び捕集具２は、本管５１に達すると、楕円球状に拡開する。
【００２１】
この状態で、本管５１の外部に設置した巻取装置４から線材３を繰り出しつつ、管内の流れを利用して閉塞具１及び捕集具２を下流側へ送る。このとき、管底部の夾雑物５５が巻き上がる可能性があるが、その夾雑物５５は後の工程で回収するので問題はない。
【００２２】
このように閉塞具１及び捕集具２を本管５１に挿入すると、閉塞具１が本管５１の流路断面を隙間が残るように部分的に閉塞し、捕集具２が閉塞具１より下流側に位置して、その開口面が上流側へ向く。
【００２３】
次に、図３に示すように、巻取装置４で線材３を巻き取り、閉塞具１及び捕集具２を管内の水流方向に逆行して、上流側へ牽引すると、閉塞具１が浮沈しつつ移動し、流路断面の隙間で流速が増大して、堆積した夾雑物５５が捕集具１の方向へ巻き上げられ、捕集具２に順次捕捉される。
【００２４】
なお、このとき、閉塞具１を浮上状態に保持して、常に管底部に隙間が生じるようにしておけば、管底部の夾雑物５５を舞い上がらせる作用が向上し、効率よく夾雑物５５を捕集することができる。
【００２５】
そして、図４に示すように、閉塞具１及び捕集具２が線材３を挿通した枝管５２の付近に達したとき、本管５１の流れを止め、閉塞具１及び捕集具２を受動的に縮閉させて枝管５２から取り出すと、捕集具２に捕捉された夾雑物５５を除去することができる。
【００２６】
上記のような管内夾雑物の捕集具では、既設の枝管５２を介して閉塞具１及び捕集具２を本管５１内に挿入できるので、うず巻式フランジ付きＴ字管やストレーナを設置する場合のように、路面の開削工事等を行う必要がなく、コストがかからない。
【００２７】
また、閉塞具１で管底部の流速を増大させ、夾雑物を巻き上げて捕集具２で捕捉するので、挿入式の排出用器具等を設置しなくても、通常の管内流では移動しないような比重の大きな夾雑物５５を捕捉でき、効率よく管内の清掃作業を行うことができる。
【００２８】
さらに、巻取装置４による線材３の巻き取りに伴い、捕集具２を下流側から上流側へ牽引して、本管５１の外部に引き出し、捕集具２に捕捉された夾雑物を除去するので、清掃作業に伴う排水も抑制され、水資源の浪費が防止される。
【図面の簡単な説明】
【００２９】
【図１】この発明に係る管内夾雑物捕集装置の概略を示す図
【図２】同上の本管への挿入過程を示す断面図
【図３】同上の夾雑物の捕集過程を示す断面図
【図４】同上の本管からの取出過程を示す断面図
【図５】従来の消火栓からの夾雑物除去方法を示す断面図
【図６】従来の排出具による夾雑物の移送過程を示す断面図
【符号の説明】
【００３０】
１  閉塞具
２  捕集具
３  線材
４  巻取装置
５  フレーム
６  シート材
７  フレーム
８  網体
５１  本管
５２  枝管
５５  夾雑物
【図１】
2005270765.tif 000003
【図２】
2005270765.tif 000004
【図３】
2005270765.tif 000005
【図４】
2005270765.tif 000006
【図５】
2005270765.tif 000007
【図６】
2005270765.tif 000008